(57)【要約】【課題】この発明は、高圧計器用と低圧計器用の共有化を実現することができる電子式電力量計を提供するものである。【解決手段】前壁部、後壁部、第１側壁部、第２側壁部により凹形状に形成された基本ベースと、基本ベースの前壁部側で第１側壁部から中央部にかけて配置され、基本ベースと一体的に成形された電源端子部と、電源端子部の電源端子側壁部と前壁部と第２側壁部との間に位置する兼用スペースと、基本ベース上に装着される中ベースとを備え、基本ベースの前壁部の内面に第１係合体が設けられ、兼用スペースに位置する基本ベースの第２側壁部の内面に第２係合体が設けられ、電源端子部の電源端子側壁部に第３係合体が設けられ、中ベースに電源端子部を押える電源端子押え部が設けられたものである。【選択図】図４
2018179540.tif 000002
【特許請求の範囲】
【請求項１】
前壁部、後壁部、第１側壁部、第２側壁部により凹形状に形成された基本ベースと、前記基本ベースの前記前壁部側で前記第１側壁部から中央部にかけて配置され、前記基本ベースと一体的に成形された電源端子部と、前記電源端子部の電源端子側壁部と前記前壁部と前記第２側壁部との間に位置する兼用スペースと、前記基本ベース上に装着される中ベースとを備え、前記基本ベースの前記前壁部の内面に第１係合体が設けられ、前記兼用スペースに位置する前記基本ベースの前記第２側壁部の内面に第２係合体が設けられ、前記電源端子部の前記電源端子側壁部に第３係合体が設けられ、前記中ベースに前記電源端子部を押える電源端子押え部が設けられたことを特徴とする電子式電力量計。
【請求項２】
前記兼用スペースに設定／記憶スイッチ、数字送りスイッチ、ＤＭ復帰スイッチ、イヤホンジャック、モジュラージャック、時限パルス端子、サービスパルス端子、通信端子を有する通信・パルス端子部が配置され、前記通信・パルス端子部の前面部に前記第１係合体と係合する第４係合体が設けられ、前記通信・パルス端子部の第１側面部に前記第２係合体の下方側にスライド移動されて係合される第５係合体が設けられ、前記通信・パルス端子部の第２側面部に前記第３係合体の下方側にスライド移動されて係合される第６係合体が設けられたことを特徴とする請求項１に記載の電子式電力量計。
【請求項３】
前記第１係合体は凹状で前記第４係合体は突状であり、前記第２係合体と前記第５係合体および前記第３係合体と前記第６係合体はスナップフィット係合であることを特徴とする請求項２に記載の電子式電力量計。
【請求項４】
前記通信・パルス端子部の後方側の上面に段差部が設けられ、前記中ベースに前記段差部に接触される押圧体が設けられ、前記押圧体に前記通信・パルス端子部の端子金具を支持する支持片が設けられたことを特徴とする請求項２または請求項３に記載の電子式電力量計。
【請求項５】
前記基本ベースの前記前壁部の上面に前記通信・パルス端子部の前端部の下面が接触し、前記前壁部の上面より下方となる段差部が設けられたことを特徴とする請求項２から請求項４のいずれか１項に記載の電子式電力量計。
【請求項６】
前記通信・パルス端子部の段差部に前記中ベースの前記押圧体を接触し、前記押圧体に設けられた前記支持片が前記端子金具に接触されたことを特徴とする請求項４に記載の電子式電力量計。
【請求項７】
前記基本ベースの前記前壁部に前記通信・パルス端子部の第１前面部と接触して嵌合される部分に突起体が設けられ、前記通信・パルス端子部の前記第１前面部に前記突起体に接触して嵌合する係合凹部を有する係合体が設けられ、前記係合体に連設され前記基本ベースの前記第２側壁部の内面と接触して嵌合される接触体が設けられたことを特徴とする請求項２から請求項６のいずれか１項に記載の電子式電力量計。
【請求項８】
前記中ベースに前記基本ベースの前記兼用スペースおよび前記前壁部を閉塞する閉塞体が設けられ、前記前壁部に設けられている外部電線挿入口を閉塞する閉塞片が設けられたことを特徴とする請求項１に記載の電子式電力量計。
【請求項９】
前記基本ベースの前記前壁部の上面に前記閉塞体の前端部の下面が接触し、前記前壁部の上面より下方となる段差部が設けられ、前記閉塞体の前記閉塞片が前記外部電線挿入口の端面に接触して前記外部電線挿入口を閉塞し、前記閉塞片の係合片が前記外部電線挿入口の下方側に係合されたたことを特徴とする請求項８に記載の電子式電力量計。
【請求項１０】
前記基本ベースの前記前壁部に前記中ベースの前記閉塞体の前端部と接触して嵌合される部分に突起体が設けられ、前記中ベースの前記閉塞体の前記電源端子部の前記電源端子側壁部に接触して嵌合する第１閉塞側片が設けられ、前記閉塞体に前記突起体に接触して嵌合する第２閉塞側片が設けられ、前記第２閉塞側片に連設され前記基本ベースの前記第２側壁部の内面と接触して嵌合される第３閉塞側片が設けられたことを特徴とする請求項８または請求項９に記載の電子式電力量計。
【発明の詳細な説明】
【技術分野】
【０００１】
この発明は、例えば電力量を計測する計器が収納された電子式電力量計に関し、特に基本ベースに配置される電源端子部、および基本ベースに載置される中ベースの構造に関するものである。
【背景技術】
【０００２】
従来の電子式電力量計は、計量パルスサービス端子及び通信端子に対して上部又は下部にスイッチ部を配置するとともに、計量パルスサービス端子と通信端子とスイッチ部とを、端子ブロックとは別の凹形の別ピースブロックに組み込み、該別ピースブロックをユニットとして端子ブロックに組み込むことを特徴としている。
【０００３】
また、端子ブロックには処理部の設定を行う設定操作部以外に、処理部に外部から通信して処理部で処理した処理データを出力させるインタフェイス部が配設されることがあり、このインタフェイス部は取り付けスペースの関係上、端子ブロックの設定操作部が配設された面以外に配設されるように構成させている。
【先行技術文献】
【特許文献】
【０００４】
【特許文献１】特開２００２−３６５３１４号公報
【発明の概要】
【発明が解決しようとする課題】
【０００５】
上述した従来の電子式電力量計は、高圧計器用と低圧計器用とがあり、高圧計器用は鉄製の基本ベースに樹脂製の端子部（電源端子部＋通信・パルス端子部）をねじ締めする構造となっている。
【０００６】
電子式電力量計の高圧計器用にのみ、通信・パルス端子部が必要であり、高圧計器の端子部と低圧計器の端子部はそれぞれ専用の端子部となっている。高圧計器の端子部の電源端子部と低圧計器の端子部の電源端子部については同一寸法であり共用化が可能であるが、電源端子部を共用するためには、通信・パルス端子部を電源端子部から分離し、電源端子部と通信・パルス端子部をそれぞれ基本ベースにねじ締めする必要があるという問題点があった。
【０００７】
基本ベースと端子部間の隙間埋め、及び端子金具の固定用としてゴムパッキンを使用した構造となっていることから、通信・パルス端子部と基本ベースの固定方法及び異物の侵入を防ぐための隙間埋めをどうするのかが課題である。
【０００８】
また、電子式電力量計の高圧計器用においては、通信・パルス端子部は構成部品３点（モジュラージャック及びスイッチを有する基板と、イヤホジャック及びスイッチを有する基板と、ジャックスペーサ）を同時に一方向から基板収納スペースに挿入する必要があり、それぞれの基板を単体で挿入できない構造であるため、組立性の自由度が低いという問題点があった。
【０００９】
この発明は、上記のような課題を解決するためになされたものであり、その目的は、高圧計器用と低圧計器用を共有化した電源端子部を一体的に成形した基本ベースとし、電源端子部側壁部側に通信・パルス端子部を収納可能な兼用スペースを配置したことにより、高圧計器用と低圧計器用の共有化を実現することができる電子式電力量計を提供するもの
である。
【課題を解決するための手段】
【００１０】
この発明に係わる電子式電力量計は、前壁部、後壁部、第１側壁部、第２側壁部により凹形状に形成された基本ベースと、前記基本ベースの前記前壁部側で前記第１側壁部から中央部にかけて配置され、前記基本ベースと一体的に成形された電源端子部と、前記電源端子部の電源端子側壁部と前記前壁部と前記第２側壁部との間に位置する兼用スペースと、前記基本ベース上に装着される中ベースとを備え、前記基本ベースの前記前壁部の内面に第１係合体が設けられ、前記兼用スペースに位置する前記基本ベースの前記第２側壁部の内面に第２係合体が設けられ、前記電源端子部の前記電源端子側壁部に第３係合体が設けられ、前記中ベースに前記電源端子部を押える電源端子押え部が設けられたものである。
【発明の効果】
【００１１】
この発明に係わる電子式電力量計によれば、高圧計器用と低圧計器用を共有化した電源端子部を基本ベースと一体的に成形し、基本ベースの電源端子部の側壁部側に通信・パルス端子部を収納可能な兼用スペースを配置したことにより、高圧計器用と低圧計器用の共有化を実現することができる電子式電力量計を得ることができる。
【図面の簡単な説明】
【００１２】
【図１】この発明の実施の形態１に係わる電子式電力量計を示す平面図である。
【図２】この発明の実施の形態１に係わる電子式電力量計における計器カバーを外した状態を示す平面図である。
【図３】この発明の実施の形態１に係わる電子式電力量計を示す図２の正面図である。
【図４】この発明の実施の形態１に係わる電子式電力量計を示す展開斜視図である。
【図５】この発明の実施の形態１に係わる電子式電力量計における基本ベースを示す平面図である。
【図６】この発明の実施の形態１に係わる電子式電力量計における基本ベースを示す斜視図である。
【図７】この発明の実施の形態１に係わる電子式電力量計における通信・パルス端子部を示す平面図である。
【図８】この発明の実施の形態１に係わる電子式電力量計における通信・パルス端子部を示す正面図である。
【図９】この発明の実施の形態１に係わる電子式電力量計における通信・パルス端子部を示す斜視図である。
【図１０】この発明の実施の形態１に係わる電子式電力量計における通信・パルス端子部を基本ベースに装着する状態を前方から見た状態を示す要部斜視図である。
【図１１】この発明の実施の形態１に係わる電子式電力量計における通信・パルス端子部を基本ベースに装着する状態を後方から見た状態を示す要部斜視図である。
【図１２】この発明の実施の形態１に係わる電子式電力量計における通信・パルス端子部を基本ベースに装着する状態を示す全体斜視図である。
【図１３】この発明の実施の形態１に係わる電子式電力量計における基本ベースに中ベースを取り付ける状態を示す展開斜視図である。
【図１４】この発明の実施の形態１に係わる電子式電力量計における中ベースを示す斜視図である。
【図１５】この発明の実施の形態１に係わる電子式電力量計における中ベースを示す正面図である。
【図１６】この発明の実施の形態１に係わる電子式電力量計を示す図１４のＣ−Ｃ線における断面図である。
【図１７】この発明の実施の形態１に係わる電子式電力量計を示す図２のＡ−Ａ線における断面図である。
【図１８】この発明の実施の形態１に係わる電子式電力量計を示す図１７のＤ部の拡大断面図である。
【図１９】この発明の実施の形態１に係わる電子式電力量計における第２端子金具を示す斜視図である。
【図２０】この発明の実施の形態１に係わる電子式電力量計における通信・パルス端子部を基本ベースに装着する状態を示す模式断面図である。
【図２１】この発明の実施の形態１に係わる電子式電力量計を示す図２のＡ−Ａ線における断面図である。
【図２２】この発明の実施の形態１に係わる電子式電力量計を示す図２１のＥ部の拡大断面図である。
【図２３】この発明の実施の形態１に係わる電子式電力量計における第１端子金具を示す斜視図である。
【図２４】この発明の実施の形態１に係わる電子式電力量計における中ベースを通信・パルス端子部に装着する状態を示す模式断面図である。
【図２５】この発明の実施の形態１に係わる電子式電力量計を示す図３のＢ−Ｂ線における断面図である。
【図２６】この発明の実施の形態１に係わる電子式電力量計を示す図２５のＦ部の拡大断面図である。
【図２７】この発明の実施の形態１に係わる電子式電力量計における通信・パルス端子部を基本ベースに装着する状態を示す模式断面図である。
【図２８】この発明の実施の形態２に係わる電子式電力量計を示す展開斜視図である。
【図２９】この発明の実施の形態２に係わる電子式電力量計における中ベースを示す正面図である。
【図３０】この発明の実施の形態２に係わる電子式電力量計を示す図１７に相当する断面図である。
【図３１】この発明の実施の形態２に係わる電子式電力量計を示す図３０のＧ部の拡大断面図である。
【図３２】この発明の実施の形態２に係わる電子式電力量計を示す図３に相当する正面図である。
【図３３】この発明の実施の形態２に係わる電子式電力量計を示す図３２のＨ−Ｈ線における断面図である。
【図３４】この発明の実施の形態２に係わる電子式電力量計を示す図３３のＩ部の拡大断面図である。
【発明を実施するための形態】
【００１３】
実施の形態１．
以下、この発明の実施の形態１を図１〜図２７に基づいて説明するが、各図において、同一、または相当部材、部位については同一符号を付して説明する。なお、この実施の形態１においては高圧計器用を対象として説明する。すなわち、通信・パルス端子部を基本ベースに装着するものである。
【００１４】
全体構成については図１〜図１６に基づいて説明する。図１はこの発明の実施の形態１に係わる電子式電力量計を示す平面図である。図２はこの発明の実施の形態１に係わる電子式電力量計における計器カバーを外した状態を示す平面図である。図３はこの発明の実施の形態１に係わる電子式電力量計を示す図２の正面図である。図４はこの発明の実施の形態1に係わる電子式電力量計を示す展開斜視図である。図５はこの発明の実施の形態1に係わる電子式電力量計における基本ベースを示す平面図である。図６はこの発明の実施の
形態1に係わる電子式電力量計における基本ベースを示す斜視図である。図７はこの発明
の実施の形態1に係わる電子式電力量計における通信・パルス端子部を示す平面図である
。図８はこの発明の実施の形態1に係わる電子式電力量計における通信・パルス端子部を
示す正面図である。図９はこの発明の実施の形態1に係わる電子式電力量計における通信
・パルス端子部を示す斜視図である。図１０はこの発明の実施の形態1に係わる電子式電
力量計における通信・パルス端子部を基本ベースに装着する状態を前方から見た状態を示す要部斜視図である。図１１はこの発明の実施の形態1に係わる電子式電力量計における
通信・パルス端子部を基本ベースに装着する状態を後方から見た状態を示す要部斜視図である。図１２はこの発明の実施の形態1に係わる電子式電力量計における通信・パルス端
子部を基本ベースに装着する状態を示す全体斜視図である。図１３はこの発明の実施の形態１に係わる電子式電力量計における基本ベースに中ベースを取り付ける状態を示す展開斜視図である。図１４はこの発明の実施の形態１に係わる電子式電力量計における中ベースを示す斜視図である。図１５はこの発明の実施の形態１に係わる電子式電力量計における中ベースを示す正面図である。図１６はこの発明の実施の形態１に係わる電子式電力量計を示す図１４のＣ−Ｃ線における断面図である。
【００１５】
この実施の形態１における電子式電力量計は高圧計器用の場合を示し、後述する電源端子部１１０と通信・パルス端子部５００とを備えている。図１に示すように、基本ベース１００に中ベース２００が取り付けられ、合成樹脂製の計器カバー３００と合成樹脂製の端子カバー４００が設けられている。
【００１６】
基本ベース１００は例えば合成樹脂により樹脂成形され、前壁部１０１、後壁部１０２、第１側壁部１０３、第２側壁部１０４により凹形状に形成され、計器収納部１０５が設けられている。図５および図６に示すように、基本ベース１００の例えば前壁部１０１の第１側壁部１０３から中央部にかけて高圧計器用と低圧計器用を共有化した電源端子部１１０が基本ベース１００と一体的に樹脂成形されている。すなわち、基本ベース１００は、高圧計器用および低圧計器用として共有して使用するので、従来のように、高圧計器用の基本ベース、低圧計器用の基本ベースをそれぞれ別々のものを製作する必要がなくなり、大幅なコスト低減を図ることができる。
【００１７】
基本ベース１００の電源端子部１１０の電源端子側壁部１１１と第２側壁部１０４および前壁部１０１との間に兼用スペース１２０が設けられ、高圧計器用の場合はこの兼用スペース１２０に通信・パルス端子部５００が装着される。なお、低圧計器用の場合は空間スペースとなる。
【００１８】
基本ベース１００の兼用スペース１２０側の前壁部１０１には、後述する第２時限パルス端子５１０ｂの第２端子金具５７０に接続するための第１外部電線挿入口１５１と、後述する第２サービスパルス端子５１１ｂの第２端子金具５７０に接続するための第２外部電線挿入口１５２と、後述する第２通信端子５１２ｂの第２端子金具５７０に接続するための第３外部電線挿入口１５３とが形成されている。
【００１９】
高圧計器用の電子式電力量計として搭載される通信・パルス端子部５００は、図７〜図９に示すように、設定／記憶スイッチ５０１、数字送りスイッチ５０２、ＤＭ復帰スイッチ５０３、イヤホンジャック５０４、モジュラージャック５０５が例えば右半分に配置されている。第１時限パルス端子５１０ａ、第１サービスパルス端子５１１ａ、第１通信端子５１２ａが例えば左半分の上側に配置され、第２時限パルス端子５１０ｂ、第２サービスパルス端子５１１ｂ、第２通信端子５１２ｂが例えば左半分の下側に配置されている。モジュラージャック５０５の入口面と同一面を有する前端部５１５を有している。
【００２０】
通信・パルス端子部５００のモジュラージャック５０５の入口面に位置する第１前面部
５２０の第１側面部５２２側に段差形成された第２前面部５２１が設けられ、通信・パルス端子部５００の反モジュラージャック側の上面に段差形成された段差部５３０が設けられている。
【００２１】
通信・パルス端子部５００の第２前面部５２１に例えば突状の第４係合体５４０が設けられ、第４係合体５４０は兼用スペース１２０に位置する基本ベース１００の前壁部１０１の内面部の第４係合体５４０に対応した位置に設けた例えば凹状の第１係合体１０６に係合される。
【００２２】
通信・パルス端子部５００の第１側面部５２２の後方の下部側に第５係合体５４１が設けられ、第５係合体５４１は兼用スペース１２０に位置する基本ベース１００の第２側壁部１０４の内面部の第５係合体５４１に対応した位置の上側に設けたスナップフィットとしての第２係合体１０７の下面側に係合される。
【００２３】
通信・パルス端子部５００の第２側面部５２３の中央の下部側に第６係合体５４２が設けられ、第６係合体５４２は兼用スペース１２０に位置する電源端子部１１０の電源端子側壁部１１１の第６係合体５４２に対応した位置の上側に設けたスナップフィットとしての第３係合体１０８の下面側に係合される。
【００２４】
基本ベース１００上に装着される例えば合成樹脂により樹脂成形された高圧計器用の中ベース２００は、基本ベース１００の電源端子部１１０を抑える電源端子押え部２０１が設けられている。中ベース２００上にプリント基板２５０、金属製の銘板２６０を取り付けられている。
【００２５】
通信・パルス端子部５００を基本ベース１００の兼用スペース１２０に装着した後、プリント基板２５０、金属製の銘板２６０が取り付けられた中ベース２００を基本ベース１００に嵌合させて装着する。その後、計器カバー３００を基本ベース１００に装着するとともに端子カバー４００を取り付ける。
【００２６】
高圧計器用の中ベース２００は、図１４〜図１６に示すように、前面側に通信・パルス端子部５００の段差部５３０上に押圧片２１４が接圧される押圧体２１０が設けられており、押圧体２１０には、第１時限パルス端子５１０ａの後述する第１端子金具５５０の移動を阻止する第１支持片２１１、第１サービスパルス端子５１１ａの後述する第１端子金具５５０の移動を阻止する第２支持片２１２、第１通信端子５１２ａの後述する第１端子金具５５０の移動を阻止する第３支持片２１３がそれぞれ設けられている。
【００２７】
次に、高圧計器用の電子式電力量計の基本ベース１００、通信・パルス端子部５００、中ベース２００の組み立て要領について図１０〜図１３に基づいて説明する。
【００２８】
通信・パルス端子部５００の基本ベース１００の兼用スペース１２０への取り付けは、通信・パルス端子部５００の第５係合体５４１、第６係合体５４２が第２係合体１０７、第３係合体１０８より後方側の位置において、矢印Ｐ１に示すように、通信・パルス端子部５００の第１側面部５２２が基本ベース１００の第２側壁部１０４に、通信・パルス端子部５００の第２側面部５２３が電源端子部１１０の電源端子側壁部１１１に略隙間なく上方から下方に向かって入れられて兼用スペース１２０の底部に置いた後、通信・パルス端子部５００を矢印Ｐ２に示すように基本ベース１００の前壁部１０１側にスライド移動させる。
【００２９】
通信・パルス端子部５００を兼用スペース１２０の底部面に沿って矢印Ｐ２方向にスライド移動させることにより、通信・パルス端子部５００の第５係合体５４１は基本ベース
１００の第２係合体１０７の下面側にスナップフィットとして係合され、通信・パルス端子部５００の第６係合体５４２は基本ベース１００の第３係合体１０８の下面側にスナップフィットとして係合され、通信・パルス端子部５００の第４係合体５４０は基本ベース１００の第１係合体１０６に係合される。これらの係合状態により、ボルトなどの締め付け作業を行うことなく、通信・パルス端子部５００は基本ベース１００の兼用スペース１２０の上方側に抜け出ないように固定される。
【００３０】
このように、通信・パルス端子部５００を基本ベース１００の兼用スペース１２０に固定した後、図１３に示すように、基本ベース１００に中ベース２００を嵌合させて取り付ける。中ベース２００の電源端子押え部２０１は基本ベース１００の電源端子部１１０の上部に配置されており、電源端子部１１０を押圧して固定している。
【００３１】
中ベース２００の押圧体２１０の押圧片２１４が通信・パルス端子部５００の段差部５３０上に接圧されており、通信・パルス端子部５００は中ベース２００を取り外さない限り基本ベース１００の兼用スペース１２０から取り出せないようになっている。
【００３２】
中ベース２００の押圧体２１０に設けた第１支持片２１１は第１時限パルス端子５１０ａの第１端子金具５５０の後方側に係合されて第１端子金具５５０の上方向および前後方向の移動を阻止している。第２支持片２１２は第１サービスパルス端子５１１ａの第１端子金具５５０の後方側に係合されて第１端子金具５５０の上方向および前後方向の移動を阻止している。第３支持片２１３は第１通信端子５１２ａの第１端子金具５５０の後方側に係合されて第１端子金具５５０の上方向および前後方向の移動を阻止している。
【００３３】
次に、基本ベース１００の前壁部１０１の上面１０１ａと通信・パルス端子部５００との嵌合状態について図１７〜図２０に基づいて説明する。図１７はこの発明の実施の形態１に係わる電子式電力量計を示す図２のＡ−Ａ線における断面図である。図１８はこの発明の実施の形態１に係わる電子式電力量計を示す図１７のＤ部の拡大断面図である。図１９はこの発明の実施の形態１に係わる電子式電力量計における第２端子金具を示す斜視図である。図２０はこの発明の実施の形態１に係わる電子式電力量計における通信・パルス端子部を基本ベースに装着する状態を示す模式断面図である。
【００３４】
基本ベース１００の前壁部１０１の上面１０１ａと通信・パルス端子部５００の前端部５００ａの下面とは略隙間なく接触されている。兼用スペース１２０側の前壁部１０１には第１外部電線挿入口１５１、第２外部電線挿入口１５２、第３外部電線挿入口１５３がそれぞれ設けられており、図１８は例えば第３外部電線挿入口１５３の後方位置に通信・パルス端子部５００の第２通信端子５１２ｂの第２端子金具５７０が配置されている場合を示している。また、基本ベース１００の前壁部１０１には、上面１０１ａより下方に位置する段差部１０１ｂが形成されている。
【００３５】
第２端子金具５７０は、外部電線収納部５７１と、この外部電線収納部５７１と連通する端子ネジ孔５７２と、外部電線収納部５７１の後方側に通信用端子ネジ孔５７３と、端子ネジ孔５７２に螺入された第２通信端子ネジ５７４と、通信用端子ネジ孔５７３に螺入された通信用端子ネジ５７５により構成されている。なお、第２端子金具５７０は通信・パルス端子部５００の第２時限パルス端子５１０ｂおよび第２サービスパルス端子５１１ｂにもそれぞれ配置されている。
【００３６】
通信・パルス端子部５００および第２端子金具５７０の基本ベース１００への嵌合について図２０の模式断面図に基づいて説明する。図２０（ａ）においては、通信・パルス端子部５００および第２端子金具５７０を基本ベース１００の兼用スペース１２０の前壁部１０１の後方側に位置させる。図２０（ｂ）においては、通信・パルス端子部５００およ
び第２端子金具５７０を上方から基本ベース１００の兼用スペース１２０の底部に置く。図２０（ｃ）においては、通信・パルス端子部５００および第２端子金具５７０を基本ベース１００の前壁部１０１側にスライド移動させ、基本ベース１００の前壁部１０１の上面１０１ａと通信・パルス端子部５００の前端部５００ａの下面とが略隙間なく接触させて嵌合させる。
【００３７】
基本ベース１００の前壁部１０１の上面１０１ａと通信・パルス端子部５００の前端部５００ａの下面とを略隙間なく接触させて嵌合させることにより、異物等が侵入することはない。もし、異物等が侵入することがあると想定した場合、図１８の点線Ｓ１に示すように、侵入経路は、外部から基本ベース１００の前壁部１０１の上面１０１ａと通信・パルス端子部５００の前端部５００ａの下面との間を通り、前壁部１０１の上面１０１ａから段差部１０１ｂに曲折し、段差部１０１ｂを通って第２端子金具５７０に端面に当接する経路となり、単一の侵入経路ではなく複雑化した侵入経路としたことにより、ゴムパッキンなしで異物等の侵入を防止することができる。
【００３８】
上述した説明においては、第２通信端子５１２ｂにおける第２端子金具５７０について述べたが、図示はしないが、第２時限パルス端子５１０ｂおよび第２サービスパルス端子５１１ｂにおける第２端子金具５７０についても同様の構成であり、同様の効果を奏する。
【００３９】
次に、通信・パルス端子部５００と中ベース２００との嵌合状態について図２１〜図２４に基づいて説明する。図２１はこの発明の実施の形態１に係わる電子式電力量計を示す図２のＡ−Ａ線における断面図である。図２２はこの発明の実施の形態１に係わる電子式電力量計を示す図２１のＥ部の拡大断面図である。図２３はこの発明の実施の形態１に係わる電子式電力量計における第１端子金具を示す斜視図である。図２４はこの発明の実施の形態１に係わる電子式電力量計における中ベースを通信・パルス端子部に装着する状態を示す模式断面図である。
【００４０】
通信・パルス端子部５００の段差部５３０と中ベース２００の押圧体２１０の押圧片２１４、第３支持片２１３とが略隙間なく接触されている。通信・パルス端子部５００の上方側には通信・パルス端子部５００の第１端子金具５５０が配置されている。図２２は通信・パルス端子部５００の第１通信端子５１２ａに配置された第１端子金具５５０の場合を示している。
【００４１】
第１端子金具５５０は、電線収納部５５１と、この電線収納部５５１と連通する端子ネジ孔５５２と、電線収納部５５１の後方側に通信用端子ネジ孔５５３と、端子ネジ孔５５２に螺入された第１通信端子ネジ５５４と、通信用端子ネジ孔５５３に螺入された通信用端子ネジ５５５により構成されている。通信用端子ネジ５５５にはケーブル５６０が接続されている。なお、第１端子金具５５０は通信・パルス端子部５００の第１時限パルス端子５１０ａおよび第１サービスパルス端子５１１ａにもそれぞれ配置されている。
【００４２】
中ベース２００の通信・パルス端子部５００および第２端子金具５７０への嵌合について図２４の模式断面図に基づいて説明する。図２４（ａ）においては、中ベース２００の押圧体２１０を通信・パルス端子部５００および第１端子金具５５０の上方側に位置させる。図２４（ｂ）においては、中ベース２００の押圧体２１０を上方から通信・パルス端子部５００の段差部５３０の上面近傍に位置させる。図２４（ｃ）においては、中ベース２００の押圧体２１０を通信・パルス端子部５００の段差部５３０上に置いてスライド移動させ、中ベース２００の押圧体２１０の押圧片２１４、第３支持片２１３と通信・パルス端子部５００の段差部５３０および第１端子金具５５０とが略隙間なく接触させて嵌合させる。
【００４３】
中ベース２００の押圧体２１０の押圧片２１４、第１支持片２１１、第２支持片２１２、第３支持片２１３と通信・パルス端子部５００の段差部５３０および第１端子金具５５０とを略隙間なく接触させて嵌合させることにより、異物等が侵入することはない。もし、異物等が侵入することがあると想定した場合、図２２の点線Ｓ２に示すように、侵入経路は、通信・パルス端子部５００の上面から段差部５３０の壁面と中ベース２００の押圧体２１０の押圧片２１４側の前面との間側に曲折し、段差部５３０の壁面と中ベース２００の押圧体２１０の押圧片２１４側の前面との間を通り、中ベース２００の押圧体２１０の押圧片２１４の下面と段差部５３０の上面との間を通ってさらに段差部５３０の上面を通り、第１端子金具５５０と第３支持片２１３との間側に曲折し、第１端子金具５５０と第３支持片２１３との間を通り、第３支持片２１３の下端側に通り抜ける経路となり、単一の侵入経路ではなく複雑化した侵入経路としたことにより、ゴムパッキンなしで異物等の侵入を防止することができる。
【００４４】
上述した説明においては、第１通信端子５１２ａにおける第１端子金具５５０について述べたが、図示はしないが、第１時限パルス端子５１０ａおよび第１サービスパルス端子５１１ａにおける第１端子金具５５０についても同様の構成であり、同様の効果を奏する。
【００４５】
次に、通信・パルス端子部５００と基本ベース１００の前壁部１０１、第２側壁部１０４との嵌合状態について図２５〜図２７に基づいて説明する。図２５はこの発明の実施の形態１に係わる電子式電力量計を示す図３のＢ−Ｂ線における断面図である。図２６はこの発明の実施の形態１に係わる電子式電力量計を示す図２５のＦ部の拡大断面図である。図２７はこの発明の実施の形態１に係わる電子式電力量計における通信・パルス端子部を基本ベースに装着する状態を示す模式断面図である。
【００４６】
図２６に示すように、基本ベース１００の前壁部１０１において、通信・パルス端子部５００のモジュラージャック５０５の第１前面部５２０と接触して嵌合される部分に奥側に突出する突起体１３０を設け、モジュラージャック５０５の第１前面部５２０に前壁部１０１の突起体１３０に接触して嵌合する係合凹部５９１を有する係合体５９０を設け、この係合体５９０に連設され前壁部１０１の内面と接触して嵌合される第１接触体５９２を設け、この第１接触体５９２に連設され基本ベース１００の第２側壁部１０４の内面と接触して嵌合される第２接触体５９３を設けている。なお、通信・パルス端子部５００の第２側面部５２３は基本ベース１００の電源端子部１１０の電源端子側壁部１１１に略隙間なく接触されて嵌合されている。
【００４７】
通信・パルス端子部５００と基本ベース１００の前壁部１０１、第２側壁部１０４との嵌合について図２７の模式断面図に基づいて説明する。図２７（ａ）においては、通信・パルス端子部５００を基本ベース１００の兼用スペース１２０の前壁部１０１の後方側に位置させる。図２７（ｂ）においては、通信・パルス端子部５００の係合体５９０の係合凹部５９１をスライド移動させて基本ベース１００の突起体１３０に係合させる。図２７（ｃ）においては、通信・パルス端子部５００をさらにスライド移動させ、基本ベース１００の突起体１３０に係合体５９０の係合凹部５９１を完全に係合させ、通信・パルス端子部５００のモジュラージャック５０５の第１前面部５２０と基本ベース１００の前壁部１０１とが同一面上に配置される。
【００４８】
基本ベース１００の前壁部１０１の突起体１３０の壁面と通信・パルス端子部５００の係合体５９０の係合凹部５９１の内面、基本ベース１００の前壁部１０１の内面と通信・パルス端子部５００の第１接触体５９２の前面、基本ベース１００の第２側壁部１０４の内面と第２接触体５９３の側面がそれぞれ略隙間なく接触させて嵌合させる。
【００４９】
このように、基本ベース１００の前壁部１０１の突起体１３０の壁面と通信・パルス端子部５００の係合体５９０の係合凹部５９１の内面、基本ベース１００の前壁部１０１の内面と通信・パルス端子部５００の第１接触体５９２の前面、基本ベース１００の第２側壁部１０４の内面と第２接触体５９３の側面とをそれぞれ略隙間なく接触させて嵌合させることにより、異物等が侵入することはない。もし、異物等が侵入することがあると想定した場合、図２６の点線Ｓ３に示すように、侵入経路は、外部から基本ベース１００の前壁部１０１と通信・パルス端子部５００のモジュラージャック５０５の第１前面部５２０との間をとおり、係合体５９０の係合凹部５９１の左側内面と突起体１３０の左側壁面との間を通り、係合体５９０の係合凹部５９１の凹部底面と突起体１３０の突起壁面との間側に曲折し、係合体５９０の係合凹部５９１の凹部底面と突起体１３０の突起壁面との間を通り、係合体５９０の係合凹部５９１の右側内面と突起体１３０の右側壁面との間側に曲折し、係合体５９０の係合凹部５９１の右側内面と突起体１３０の右側壁面との間を通り、第１接触体５９２の前面と前壁部１０１の内面との間側に曲折し、第１接触体５９２の前面と前壁部１０１の内面との間を通り、第２接触体５９３の側面と第２側壁部１０４の内面との間側に曲折し、第２接触体５９３の側面と第２側壁部１０４の内面との間を通り、第２接触体５９３の先端側に通り抜ける経路となり、単一の侵入経路ではなく複雑化した侵入経路としたことにより、ゴムパッキンなしで異物等の侵入を防止することができる。
【００５０】
実施の形態２．
この発明の実施の形態２を図２８〜図３４に基づいて説明するが、各図において、同一、または相当部材、部位については同一符号を付して説明する。
【００５１】
図２８はこの発明の実施の形態２に係わる電子式電力量計を示す展開斜視図である。図２９はこの発明の実施の形態２に係わる電子式電力量計における中ベースを示す正面図である。図３０はこの発明の実施の形態２に係わる電子式電力量計を示す図１７に相当する断面図である。図３１はこの発明の実施の形態２に係わる電子式電力量計を示す図３０のＧ部の拡大断面図である。図３２はこの発明の実施の形態２に係わる電子式電力量計を示す図３に相当する正面図である。図３３はこの発明の実施の形態２に係わる電子式電力量計を示す図３２のＨ−Ｈ線における断面図である。図３４はこの発明の実施の形態２に係わる電子式電力量計を示す図３３のＩ部の拡大断面図である。
【００５２】
この実施の形態２のものは、低圧計器用の電子式電力量計の場合を示しており、上述した実施の形態１の高圧計器用の電子式電力量計のような通信・パルス端子部５００が不要な構成となる。
【００５３】
基本ベース１００は低圧計器用においても上述した実施の形態１の高圧計器用と同様のものを使用する。すなわち、基本ベース１００は、高圧計器用および低圧計器用として共有して使用するので、従来のように、高圧計器用の基本ベース、低圧計器用の基本ベースをそれぞれ別々のものを製作する必要がなくなり、大幅なコスト低減を図ることができる。
【００５４】
低圧計器用の場合は、通信・パルス端子部５００が不要なので、兼用スペース１２０は空間スペースとなり、基本ベース１００の兼用スペース１２０および前壁部１０１の第１外部電線挿入口１５１、第２外部電線挿入口１５２、第３外部電線挿入口１５３を中ベース６００により閉塞することになる。
【００５５】
基本ベース１００上に装着される例えば合成樹脂により樹脂成形された低圧計器用の中ベース６００は、基本ベース１００の電源端子部１１０を抑える電源端子押え部６０２を
支持体６０１に設けられている。中ベース６００上にプリント基板６５０、樹脂製の銘板６６０を取り付け、さらに計器カバー７００を取り付けている。
【００５６】
中ベース６００の兼用スペース１２０側には兼用スペース１２０および前壁部１０１の第１外部電線挿入口１５１、第２外部電線挿入口１５２、第３外部電線挿入口１５３を閉塞するための閉塞体６１０が設けられている。
【００５７】
閉塞体６１０には、前壁部１０１の第１外部電線挿入口１５１の端面と接触してその第１外部電線挿入口１５１を閉塞する第１閉塞片６１１と、第２外部電線挿入口１５２の端面と接触してその第２外部電線挿入口１５２を閉塞する第２閉塞片６１２と、第３外部電線挿入口１５３の端面と接触しその第３外部電線挿入口１５３を閉塞する第３閉塞片６１３とが設けられている。
【００５８】
次に、基本ベース１００の前壁部１０１の上面１０１ａと中ベース６００の閉塞体６１０との閉塞状態について説明する。基本ベース１００の前壁部１０１の上面１０１ａと閉塞体６１０の前端部６１０ａの下面６１０ｂとは略隙間なく接触されている。
【００５９】
閉塞体６１０の第１閉塞片６１１により第１外部電線挿入口１５１を閉塞し、第２閉塞片６１２により第２外部電線挿入口１５２を閉塞し、第３閉塞片６１３により第３外部電線挿入口１５３を閉塞している。
【００６０】
第１閉塞片６１１には第１外部電線挿入口１５１の下方側と係合する第１係合片６１１ａを有し、第２閉塞片６１２には第２外部電線挿入口１５２の下方側と係合する第２係合片６１２ａを有し、第３閉塞片６１３には第３外部電線挿入口１５３の下方側と係合する第３係合片６１３ａを有している。
【００６１】
図３１は第３外部電線挿入口１５３の閉塞状態を示しており、第３閉塞片６１３により第３外部電線挿入口１５３が閉塞され、第３係合片６１３ａが第３外部電線挿入口１５３の下方側に係合され、閉塞体６１０の抜け出しが防止されている。なお、図示はしないが、第１外部電線挿入口１５１および第２外部電線挿入口１５２も同様に第１閉塞片６１１、第２閉塞片６１２により閉塞されている。
【００６２】
基本ベース１００の前壁部１０１の上面１０１ａと閉塞体６１０の前端部６１０ａの下面６１０ｂとは略隙間なく接触させて嵌合させることにより、異物等が侵入することはない。もし、異物等が侵入することがあると想定した場合、図３１に基づいて説明するが、侵入経路は、外部から基本ベース１００の前壁部１０１の上面１０１ａと閉塞体６１０の前端部６１０ａの下面６１０ｂとの間を通り、前壁部１０１の上面１０１ａから段差部１０１ｂに曲折し、段差部１０１ｂを通って第３閉塞片６１３に当接して第３外部電線挿入口１５３の端面と第３閉塞片６１３の下方側に曲折し、第３外部電線挿入口１５３の端面と第３閉塞片６１３との間を通って第３外部電線挿入口１５３に抜け出る経路となる。
【００６３】
また、第３外部電線挿入口１５３の端面と閉塞体６１０の第３閉塞片６１３とは略隙間なく接触させて嵌合させることにより、異物等が侵入することはない。もし、異物等が侵入することがあると想定した場合、図３１に基づいて説明するが、外部から第３外部電線挿入口１５３を通って第３外部電線挿入口１５３の端面と第３閉塞片６１３との間を通り、第３閉塞片６１３の第３係合片６１３ａと第３外部電線挿入口１５３の下方側に曲折し、第３係合片６１３ａと第３外部電線挿入口１５３の下方側との間を通り、第３係合片６１３ａの前面の下方側に曲折し、第３係合片６１３ａの前面を通り、第３係合片６１３ａと基本ベース１００の兼用スペース１２０の底面との間側に曲折し、第３係合片６１３ａと基本ベース１００の兼用スペース１２０の底面との間を通っていく経路となる。
【００６４】
以上のように、異物等が侵入する経路は、単一の侵入経路ではなく複雑化した侵入経路としたことにより、ゴムパッキンなしで異物等の侵入を防止することができる。なお、第３外部電線挿入口１５３と閉塞体６１０の第３閉塞片６１３との侵入経路について述べたが、図示はしないが、第１外部電線挿入口１５１と閉塞体６１０の第１閉塞片６１１との侵入経路および第２外部電線挿入口１５２と閉塞体６１０の第２閉塞片６１２との侵入経路についても同様の侵入経路となり、同様の効果を奏する。
【００６５】
次に、中ベース６００の閉塞体６１０と基本ベース１００の前壁部１０１、第２側壁部１０４との嵌合状態について説明する。閉塞体６１０の前端部６１０ａの下面６１０ｂは基本ベース１００の前壁部１０１の上面１０１ａ上に略隙間なく接触されて嵌合されている。基本ベース１００の電源端子部１１０の電源端子側壁部１１１に閉塞体６１０の第１閉塞片６１４が略隙間なく接触されて嵌合されている。
【００６６】
図３４に示すように、閉塞体６１０の第２閉塞片６１５が基本ベース１００の前壁部１０１の突起体１３０に略隙間なく接触されて嵌合されている。第２閉塞片６１５に連接して設けられた第３閉塞片６１６が基本ベース１００の第２側壁部１０４に略隙間なく接触されて嵌合されている。
【００６７】
このように、閉塞体６１０の第２閉塞片６１５と基本ベース１００の前壁部１０１の突起体１３０の壁面、第３閉塞片６１６と基本ベース１００の第２側壁部１０４の内面とをそれぞれ略隙間なく接触させて嵌合させることにより、異物等が侵入することはない。もし、異物等が侵入することがあると想定した場合、侵入経路は、外部から基本ベース１００の前壁部１０１と閉塞体６１０の前端部６１０ａとの間から第２閉塞片６１５と突起体１３０との間を通り、突起体１３０の上面側に曲折し、突起体１３０の上面を通り、基本ベース１００の第２側壁部１０４の内面に当接してから第３閉塞片６１６と基本ベース１００の第２側壁部１０４の内面との間を通っていくという、経路となり、単一の侵入経路ではなく複雑化した侵入経路としたことにより、ゴムパッキンなしで異物等の侵入を防止することができる。
【００６８】
なお、この発明は、その発明の範囲内において、各実施の形態を自由に組み合わせたり、各実施の形態を適宜、変形、省略することが可能である。
【産業上の利用可能性】
【００６９】
この発明は、高圧計器用と低圧計器用の共有化を実現することができる電子式電力量計の実現に好適である。
【符号の説明】
【００７０】
１００  基本ベース、１０１  前壁部、１０１ａ  上面、１０１ｂ  段差部、１０２  後壁部、１０３  第１側壁部、１０４  第２側壁部、１０６  第１係合体、１０７  第２係合体、１０８  第３係合体、１１０  電源端子部、１１１  電源端子側壁部、１２０  兼用スペース、１３０  突起体、１５１  第１外部電線挿入口、１５２  第２外部電線挿入口、１５３  第３外部電線挿入口、２００  中ベース、２０１  電源端子押え部、２１０  押圧体、２１１  第１支持片、２１２  第２支持片、２１３  第３支持片、２１４  押圧片、３００  計器カバー、４００  端子カバー、５００  通信・パルス端子部、５０１  設定／記憶スイッチ、５０２  数字送りスイッチ、５０３  ＤＭ復帰スイッチ、５０４  イヤホンジャック、５０５  モジュラージャック、５１０ａ  第１時限パルス端子、５１０ｂ  第２時限パルス端子、５１１ａ  第１サービスパルス端子、５１１ｂ  第２サービスパルス端子、５１２ａ  第１通信端子、５１２ｂ  第２通信端子、５１５  前端部、５２０  第１前面部、５２１  第２前面部、５２２  第１側面部、５２３  第２側面部
、５３０  段差部、５４０  第４係合体、５４１  第５係合体、５４２  第６係合体、５５０  第１端子金具、５５２  端子ネジ孔、５５４  第１通信端子ネジ、５７０  第２端子金具、５７２  端子ネジ孔、５７４  第２通信端子ネジ、５９０  係合体、５９１  係合凹部、５９２  第１接触体、５９３  第２接触体、６００  中ベース、６０２  電源端子押え部、６１０  押圧体、６１０ａ  前端部、６１１  第１支持片、６１１ａ  第１係合片、６１２  第２支持片、６１２ａ  第２係合片、６１３  第３支持片、６１３ａ  第３係合片、６１４  第１閉塞側片、６１５  第２閉塞側片、６１６  第３閉塞側片
【図１】
2018179540.tif 000003
【図２】
2018179540.tif 000004
【図３】
2018179540.tif 000005
【図４】
2018179540.tif 000006
【図５】
2018179540.tif 000007
【図６】
2018179540.tif 000008
【図７】
2018179540.tif 000009
【図８】
2018179540.tif 000010
【図９】
2018179540.tif 000011
【図１０】
2018179540.tif 000012
【図１１】
2018179540.tif 000013
【図１２】
2018179540.tif 000014
【図１３】
2018179540.tif 000015
【図１４】
2018179540.tif 000016
【図１５】
2018179540.tif 000017
【図１６】
2018179540.tif 000018
【図１７】
2018179540.tif 000019
【図１８】
2018179540.tif 000020
【図１９】
2018179540.tif 000021
【図２０】
2018179540.tif 000022
【図２１】
2018179540.tif 000023
【図２２】
2018179540.tif 000024
【図２３】
2018179540.tif 000025
【図２４】
2018179540.tif 000026
【図２５】
2018179540.tif 000027
【図２６】
2018179540.tif 000028
【図２７】
2018179540.tif 000029
【図２８】
2018179540.tif 000030
【図２９】
2018179540.tif 000031
【図３０】
2018179540.tif 000032
【図３１】
2018179540.tif 000033
【図３２】
2018179540.tif 000034
【図３３】
2018179540.tif 000035
【図３４】
2018179540.tif 000036